【手続補正書】
【提出日】平成19年9月14日(2007.9.14)
【手続補正１】
【補正対象書類名】特許請求の範囲
【補正対象項目名】全文
【補正方法】変更
【補正の内容】
【特許請求の範囲】
【請求項１】
光学特性をプログラム可能なレンズユニットを備えたカメラであって、
前記レンズユニットの光軸上に配置された複数の光学素子と、
前記レンズユニット内における前記複数の光学素子の状態を電子制御によって変化させることで、前記レンズユニット全体の光学特性を変化させる電子制御手段と、
前記レンズユニット全体における所定の光学特性が、前記電子制御手段によって変化させることの可能な全範囲の中で所定の範囲内に収まるように、前記複数の光学素子の状態を制御するための制御情報を記憶する記憶手段と、
前記記憶手段に記憶された制御情報の１つを、撮影時において前記複数の光学素子の状態を制御するための制御情報として選択する選択手段と、
撮影時において、前記電子制御手段により変化させる前記複数の光学素子の状態を、前記選択手段により選択された制御情報に基づいて制御する撮影制御手段と、
を備えたことを特徴とするカメラ。
【請求項２】
前記記憶手段は、前記所定の光学特性の変化可能な範囲が各々異なる複数の制御情報を記憶し、
前記選択手段は、前記記憶手段に記憶された複数の制御情報の中から１つの制御情報をユーザーによる指示操作に基づいて選択することを特徴とする請求項１記載のカメラ。
【請求項３】
ユーザーの指示操作に応じて前記制御情報を任意に作成する作成手段と、
前記作成手段により作成された制御情報を前記記憶手段に追加して記憶する追加記憶手段と、
を備えたことを特徴とする請求項２記載のカメラ。
【請求項４】
ユーザーの指示操作に応じて前記記憶手段に記憶されている制御情報を任意に編集する編集手段と、
前記編集手段による編集内容に従って前記記憶手段に記憶されている当該制御情報を更新する更新記憶手段と、
を備えたことを特徴とする請求項２記載のカメラ。
【請求項５】
前記記憶手段は、前記制御情報と該制御情報に対応する光学特性に関する情報とを関連付けて記憶し、
前記選択手段は、前記記憶手段に記憶された複数の制御情報の各々に対応した光学特性に関する情報を選択候補として表示し、この表示された選択候補の中から１つの光学特性に関する情報をユーザーに選択させることにより対応する制御情報を選択することを特徴とする請求項２記載のカメラ。
【請求項６】
前記記憶手段は、前記光学特性に関する情報として、前記レンズユニットの設計図、断面図、光跡図、のうちの１または複数の情報を記憶し、
前記選択手段は、前記レンズユニットの設計図、断面図、光跡図、のうちの１または複数の画像情報を選択候補として表示することを特徴とする請求項５記載のカメラ。
【請求項７】
前記記憶手段は、既存のレンズユニットまたは既存のカメラが有する光学特性を当該カメラの備える前記レンズユニットに模擬させるための制御情報を、該制御情報に対応する前記既存のレンズユニットまたは前記既存のカメラを特定することが可能な情報と関連付けて記憶し、
前記選択手段は、前記既存のレンズユニットまたは前記既存のカメラを特定することが可能な情報を選択候補として表示し、この表示された選択候補の中から１つの前記既存のレンズユニットまたは前記既存のカメラの情報をユーザーに選択させることにより対応する制御情報を選択することを特徴とする請求項５記載のカメラ。
【請求項８】
前記記憶手段は、前記既存のレンズユニットまたは前記既存のカメラを特定することが可能な情報として、前記既存のレンズユニットまたは前記既存のカメラの製品名、製品番号、メーカ名、外観図、のうちの１または複数の情報を記憶し、
前記選択手段は、前記既存のレンズユニットまたは前記既存のカメラの製品名、製品番号、メーカ名、外観図、のうちの１または複数の情報を選択候補として表示することを特徴とする請求項７記載のカメラ。
【請求項９】
前記レンズユニット全体におけるどのような光学特性をどのような範囲に収まるようにするかの条件をユーザーに任意に指定させる指定手段と、
前記指定手段により指定された条件を満たすように前記複数の光学素子の状態を制御するための制御情報を自動生成する第１の生成手段と、
前記第１の生成手段により自動生成された制御情報を前記記憶手段に記憶する記憶制御手段と、
を備えたことを特徴とする請求項２記載のカメラ。
【請求項１０】
前記複数の光学素子の状態を規定するレンズ設計データを複数自動生成する第２の生成手段と、
前記第２の生成手段により自動生成された複数のレンズ設計データの各々に対応する前記レンズユニット全体の光学特性を算出する算出手段と、
前記算出手段により算出された各々の光学特性が、前記指定手段により指定された条件を満たすか否かを判定する判定手段と、
を備え、
前記第１の生成手段は、前記判定手段により条件を満たすと判定された光学特性に対応するレンズ設計データに基づいて、前記指定手段により指定された条件を満たすように前記複数の光学素子の状態を制御するための制御情報を生成することを特徴とする請求項９記載のカメラ。
【請求項１１】
撮影モードと設計モードとをユーザーに任意に選択させるモード選択手段を備え、
前記設計モードが選択されている状態では、ユーザーによる指示操作に応じて前記レンズユニット全体を所望の光学特性を有するレンズユニットとして機能させるための前記制御情報を作成して前記記憶手段に記憶し、
前記撮影モードが選択されている状態では、前記記憶手段に記憶されている前記制御情報に基づいて、前記レンズユニット全体を所望の光学特性を有するレンズユニットとして機能させることを特徴とする請求項１記載のカメラ。
【請求項１２】
前記モード選択手段は、前記撮影モードと前記設計モードに加え更に設定モードをユーザーに任意に選択させ、
前記設定モードが選択されている状態では、ユーザーによる指示操作に応じて、前記記憶手段に記憶されている複数の制御情報のいずれか１つを撮影時に利用することを設定し、
前記撮影モードが選択されている状態では、前記記憶手段に記憶されている複数の制御情報のうち、前記設定モードが選択されている状態で設定された制御情報に基づいて、前記レンズユニット全体を所望の光学特性を有するレンズユニットとして機能させることを特徴とする請求項１１記載のカメラ。
【請求項１３】
前記電子制御手段は、前記レンズユニット内における前記光学素子の光軸上の位置を電子制御によって変化させることを特徴とする請求項１記載のカメラ。
【請求項１４】
前記電子制御手段は、前記光学素子の単体の焦点距離を電子制御によって変化させることを特徴とする請求項１記載のカメラ。
【請求項１５】
前記レンズユニット全体における光学特性は、レンズユニット全体の光路に関する光学特性であることを特徴とする請求項１記載のカメラ。
【請求項１６】
前記レンズユニット全体の光路に関する光学特性は、レンズユニット全体における、焦点距離、フォーカス位置、光路特性、収差特性、スポットダイアグラム特性、ＭＴＦ特性、ＯＴＦ特性、のうちの１または複数の光学特性を含むことを特徴とする請求項１５記載のカメラ。
【請求項１７】
前記制御情報に基づいて制御された場合における前記レンズユニット全体の光路に関する所定の光学特性の状態をシミュレーション演算により算出し、その算出されたシミュレーション結果を表示するシミュレーション手段を備えることを特徴とする請求項２乃至４のいずれかに記載のカメラ。
【請求項１８】
前記シミュレーション手段による演算および表示は、光線追跡のシミュレーション演算による光跡図の表示、収差特性のシミュレーション演算による収差図の表示、スポットダイアグラム特性のシミュレーション演算によるスポットダイアグラム図の表示、ＭＴＦ特性のシミュレーション演算によるＭＴＦ図の表示、ＯＴＦ特性のシミュレーション演算によるＯＴＦ図の表示、のうちの１または複数を含むことを特徴とする請求項１７記載のカメラ。
【請求項１９】
前記シミュレーション手段は、前記制御情報に対応した前記複数の光学素子の状態を示す設計図を表示するとともに、この設計図上に前記シミュレーション演算の結果を表示させることを特徴とする請求項１７記載のカメラ。
【請求項２０】
前記記憶手段は、前記レンズユニットを所定の固定焦点レンズユニットまたは所定のズームレンズユニットとして機能させるための複数の制御情報を記憶し、各制御情報には、調整可能な焦点距離の範囲が各々異なるとともに結像性能が各々異なるように前記複数の光学素子の状態を制御するための情報が含まれ、
前記撮影制御手段は、前記選択手段による選択に応じて、前記レンズユニットを所定の固定焦点レンズユニットまたは所定のズームレンズユニットとして機能させることを特徴とする請求項１記載のカメラ。
【請求項２１】
前記記憶手段は、前記レンズユニットを、焦点距離の可変範囲がより高いズーム倍率に対応して設定されている望遠ズームレンズとして機能させるための第１の制御情報と、前記レンズユニットを、焦点距離の可変範囲がより低いズーム倍率に対応して設定されている広角ズームレンズとして機能させるための第２の制御情報とを記憶し、
前記撮影制御手段は、前記選択手段により前記第１の制御情報または前記第２の制御情報のいずれかが選択されたかに応じて、前記レンズユニットを、前記望遠ズームレンズまたは前記広角ズームレンズとして機能させることを特徴とする請求項２０記載のカメラ。
【請求項２２】
外部との通信により前記制御情報を受信する受信手段と、
前記受信手段により受信した制御情報を前記記憶手段に追加して記憶する追加記憶手段と、
を備えたことを特徴とする請求項２記載のカメラ。
【請求項２３】
光学特性をプログラム可能なレンズユニットであって、
当該レンズユニットをカメラ装置に対して着脱可能とする着脱手段と、
当該レンズユニットの光軸上に配置された複数の光学素子と、
当該レンズユニット内における前記複数の光学素子の状態を電子制御によって変化させることで、当該レンズユニット全体の光学特性を変化させる電子制御手段と、
当該レンズユニット全体における所定の光学特性が、前記電子制御手段によって変化させることの可能な全範囲の中で所定の範囲内に収まるように、前記複数の光学素子の状態を制御するための制御情報を取得する取得手段と、
撮影時において、前記電子制御手段により変化させる前記複数の光学素子の状態を、前記取得手段により取得された制御情報に基づいて制御する撮影制御手段と、
を備えたことを特徴とするレンズユニット。
【請求項２４】
前記取得手段は、外部装置から前記制御情報を取得することを特徴とする請求項２３記載のレンズユニット。
【請求項２５】
前記取得手段は、予めレンズユニットの内部に記憶されている複数の制御情報のうちの１つを取得することを特徴とする請求項２３記載のレンズユニット。
【請求項２６】
前記カメラ装置に装着された状態で該カメラ装置と通信する通信手段を備え、
前記取得手段は、前記通信手段によって前記カメラ装置から前記制御情報を取得することを特徴とする請求項２３記載のレンズユニット。
【請求項２７】
請求項２３乃至２６のいずれかに記載のレンズユニットを備えることを特徴とする光学機器。
【請求項２８】
複数の光学素子が光軸上に配置され、各々の光学素子の状態を電子制御手段によって個別に変化させることの可能なレンズユニットの光路に関する光学特性を制御するカメラであって、
前記レンズユニット全体における所定の光学特性が、前記電子制御手段によって変化させることの可能な全範囲の中で所定の範囲内に収まるように、前記複数の光学素子の状態を制御するための制御情報を複数記憶する記憶手段と、
前記記憶手段に記憶された複数の制御情報の１つを、撮影時において前記複数の光学素子の状態を制御するための制御情報として選択する選択手段と、
撮影時において、前記選択手段により選択された制御情報に基づいて、前記レンズユニット内の複数の光学素子の状態を制御する撮影制御手段と、
を備えたことを特徴とするカメラ。
【請求項２９】
複数の光学素子が光軸上に配置され、各々の光学素子の状態を電子制御手段によって個別に変化させることの可能なカメラの光路に関する光学特性を制御するプログラムであって、
前記カメラを、
前記カメラにおける所定の光学特性が、前記電子制御手段によって変化させることの可能な全範囲の中で所定の範囲内に収まるように、前記複数の光学素子の状態を制御するための制御情報を複数記憶する記憶手段と、
前記記憶手段に記憶された複数の制御情報の１つを、撮影時において前記複数の光学素子の状態を制御するための制御情報として選択する選択手段と、
撮影時において、前記選択手段により選択された制御情報に基づいて、前記複数の光学素子の状態を制御する撮影制御手段と、
して機能させることを特徴とするプログラム。
【手続補正２】
【補正対象書類名】明細書
【補正対象項目名】発明の名称
【補正方法】変更
【補正の内容】
【発明の名称】レンズユニット、カメラ、光学機器、およびプログラム
【手続補正３】
【補正対象書類名】明細書
【補正対象項目名】０００１
【補正方法】変更
【補正の内容】
【０００１】
本発明は、複数のレンズを備えるレンズユニットと、このレンズユニットを制御するカメラ及び光学機器と、このカメラを制御するプログラムに関する。
【手続補正４】
【補正対象書類名】明細書
【補正対象項目名】０００５
【補正方法】変更
【補正の内容】
【０００５】
本発明の課題は、所望の光学特性を容易に得ることができるレンズユニット、カメラ、光学機器及びプログラムを提供することである。
【手続補正５】
【補正対象書類名】明細書
【補正対象項目名】０００６
【補正方法】変更
【補正の内容】
【０００６】
前記課題を解決するため請求項１の発明にあっては、光学特性をプログラム可能なレンズユニットを備えたカメラであって、
前記レンズユニットの光軸上に配置された複数の光学素子と、
前記レンズユニット内における前記複数の光学素子の状態を電子制御によって変化させることで、前記レンズユニット全体の光学特性を変化させる電子制御手段と、
前記レンズユニット全体における所定の光学特性が、前記電子制御手段によって変化させることの可能な全範囲の中で所定の範囲内に収まるように、前記複数の光学素子の状態を制御するための制御情報を記憶する記憶手段と、
前記記憶手段に記憶された制御情報の１つを、撮影時において前記複数の光学素子の状態を制御するための制御情報として選択する選択手段と、
撮影時において、前記電子制御手段により変化させる前記複数の光学素子の状態を、前記選択手段により選択された制御情報に基づいて制御する撮影制御手段と、
を備えたことを特徴とする。
【手続補正６】
【補正対象書類名】明細書
【補正対象項目名】０００７
【補正方法】変更
【補正の内容】
【０００７】
また、請求項２の発明は、請求項１記載のカメラにおいて、
前記記憶手段は、前記所定の光学特性の変化可能な範囲が各々異なる複数の制御情報を記憶し、
前記選択手段は、前記記憶手段に記憶された複数の制御情報の中から１つの制御情報をユーザーによる指示操作に基づいて選択することを特徴とする。
【手続補正７】
【補正対象書類名】明細書
【補正対象項目名】０００８
【補正方法】変更
【補正の内容】
【０００８】
また、請求項３の発明は、請求項２記載のカメラにおいて、
ユーザーの指示操作に応じて前記制御情報を任意に作成する作成手段と、
前記作成手段により作成された制御情報を前記記憶手段に追加して記憶する追加記憶手段と、
を備えたことを特徴とする。
【手続補正８】
【補正対象書類名】明細書
【補正対象項目名】０００９
【補正方法】変更
【補正の内容】
【０００９】
また、請求項４の発明は、請求項２記載のカメラにおいて、
ユーザーの指示操作に応じて前記記憶手段に記憶されている制御情報を任意に編集する編集手段と、
前記編集手段による編集内容に従って前記記憶手段に記憶されている当該制御情報を更新する更新記憶手段と、
を備えたことを特徴とする。
【手続補正９】
【補正対象書類名】明細書
【補正対象項目名】００１０
【補正方法】変更
【補正の内容】
【００１０】
また、請求項５の発明は、請求項２記載のカメラにおいて、
前記記憶手段は、前記制御情報と該制御情報に対応する光学特性に関する情報とを関連付けて記憶し、
前記選択手段は、前記記憶手段に記憶された複数の制御情報の各々に対応した光学特性に関する情報を選択候補として表示し、この表示された選択候補の中から１つの光学特性に関する情報をユーザーに選択させることにより対応する制御情報を選択することを特徴とする。
【手続補正１０】
【補正対象書類名】明細書
【補正対象項目名】００１１
【補正方法】変更
【補正の内容】
【００１１】
また、請求項６の発明は、請求項５記載のカメラにおいて、
前記記憶手段は、前記光学特性に関する情報として、前記レンズユニットの設計図、断面図、光跡図、のうちの１または複数の情報を記憶し、
前記選択手段は、前記レンズユニットの設計図、断面図、光跡図、のうちの１または複数の画像情報を選択候補として表示することを特徴とする。
【手続補正１１】
【補正対象書類名】明細書
【補正対象項目名】００１２
【補正方法】変更
【補正の内容】
【００１２】
また、請求項７の発明、請求項５記載のカメラにおいて、
前記記憶手段は、既存のレンズユニットまたは既存のカメラが有する光学特性を当該カメラの備える前記レンズユニットに模擬させるための制御情報を、該制御情報に対応する前記既存のレンズユニットまたは前記既存のカメラを特定することが可能な情報と関連付けて記憶し、
前記選択手段は、前記既存のレンズユニットまたは前記既存のカメラを特定することが可能な情報を選択候補として表示し、この表示された選択候補の中から１つの前記既存のレンズユニットまたは前記既存のカメラの情報をユーザーに選択させることにより対応する制御情報を選択することを特徴とする。
【手続補正１２】
【補正対象書類名】明細書
【補正対象項目名】００１３
【補正方法】変更
【補正の内容】
【００１３】
また、請求項８の発明は、請求項７記載のカメラにおいて、
前記記憶手段は、前記既存のレンズユニットまたは既存のカメラを特定することが可能な情報として、前記既存のレンズユニットまたは既存のカメラの製品名、製品番号、メーカ名、外観図、のうちの１または複数の情報を記憶し、
前記選択手段は、前記既存のレンズユニットまたは既存のカメラの製品名、製品番号、メーカ名、外観図、のうちの１または複数の情報を選択候補として表示することを特徴とする。
【手続補正１３】
【補正対象書類名】明細書
【補正対象項目名】００１４
【補正方法】変更
【補正の内容】
【００１４】
また、請求項９の発明は、請求項２記載のカメラにおいて、
前記レンズユニット全体におけるどのような光学特性をどのような範囲に収まるようにするかの条件をユーザーに任意に指定させる指定手段と、
前記指定手段により指定された条件を満たすように前記複数の光学素子の状態を制御するための制御情報を自動生成する第１の生成手段と、
前記第１の生成手段により自動生成された制御情報を前記記憶手段に記憶する記憶制御手段と、
を備えたことを特徴とする。
【手続補正１４】
【補正対象書類名】明細書
【補正対象項目名】００１５
【補正方法】変更
【補正の内容】
【００１５】
また、請求項１０の発明は、請求項９記載のカメラにおいて、
前記複数の光学素子の状態を規定するレンズ設計データを複数自動生成する第２の生成手段と、
前記第２の生成手段により自動生成された複数のレンズ設計データの各々に対応する前記レンズユニット全体の光学特性を算出する算出手段と、
前記算出手段により算出された各々の光学特性が、前記指定手段により指定された条件を満たすか否かを判定する判定手段と、
を備え、
前記第１の生成手段は、前記判定手段により条件を満たすと判定された光学特性に対応するレンズ設計データに基づいて、前記指定手段により指定された条件を満たすように前記複数の光学素子の状態を制御するための制御情報を生成することを特徴とする。
【手続補正１５】
【補正対象書類名】明細書
【補正対象項目名】００１６
【補正方法】変更
【補正の内容】
【００１６】
また、請求項１１の発明は、請求項１記載のカメラにおいて、
撮影モードと設計モードとをユーザーに任意に選択させるモード選択手段を備え、
前記設計モードが選択されている状態では、ユーザーによる指示操作に応じて前記レンズユニット全体を所望の光学特性を有するレンズユニットとして機能させるための前記制御情報を作成して前記記憶手段に記憶し、
前記撮影モードが選択されている状態では、前記記憶手段に記憶されている前記制御情報に基づいて、前記レンズユニット全体を所望の光学特性を有するレンズユニットとして機能させることを特徴とする。
【手続補正１６】
【補正対象書類名】明細書
【補正対象項目名】００１７
【補正方法】変更
【補正の内容】
【００１７】
また、請求項１２の発明は、請求項１１記載のカメラにおいて、
前記モード選択手段は、前記撮影モードと前記設計モードに加え更に設定モードをユーザーに任意に選択させ、
前記設定モードが選択されている状態では、ユーザーによる指示操作に応じて、前記記憶手段に記憶されている複数の制御情報のいずれか１つを撮影時に利用することを設定し、
前記撮影モードが選択されている状態では、前記記憶手段に記憶されている複数の制御情報のうち、前記設定モードが選択されている状態で設定された制御情報に基づいて、前記レンズユニット全体を所望の光学特性を有するレンズユニットとして機能させることを特徴とする。
【手続補正１７】
【補正対象書類名】明細書
【補正対象項目名】００１８
【補正方法】変更
【補正の内容】
【００１８】
また、請求項１３の発明は、請求項１記載のカメラにおいて、
前記電子制御手段は、前記レンズユニット内における前記光学素子の光軸上の位置を電子制御によって変化させることを特徴とする。
【手続補正１８】
【補正対象書類名】明細書
【補正対象項目名】００１９
【補正方法】変更
【補正の内容】
【００１９】
また、請求項１４の発明は、請求項１記載のカメラにおいて、
前記電子制御手段は、前記光学素子の単体の焦点距離を電子制御によって変化させることを特徴とする。
【手続補正１９】
【補正対象書類名】明細書
【補正対象項目名】００２０
【補正方法】変更
【補正の内容】
【００２０】
また、請求項１５の発明は、請求項１記載のカメラにおいて、
前記レンズユニット全体における光学特性は、レンズユニット全体の光路に関する光学特性であることを特徴とする。
【手続補正２０】
【補正対象書類名】明細書
【補正対象項目名】００２１
【補正方法】削除
【補正の内容】
【手続補正２１】
【補正対象書類名】明細書
【補正対象項目名】００２２
【補正方法】変更
【補正の内容】
【００２２】
また、請求項１６の発明は、請求項１５記載のカメラにおいて、
前記レンズユニット全体の光路に関する光学特性は、レンズユニット全体における、焦点距離、フォーカス位置、光路特性、収差特性、スポットダイアグラム特性、ＭＴＦ特性、ＯＴＦ特性、のうちの１または複数の光学特性を含むことを特徴とする。
【手続補正２２】
【補正対象書類名】明細書
【補正対象項目名】００２３
【補正方法】変更
【補正の内容】
【００２３】
また、請求項１７の発明は、請求項２乃至４のいずれかに記載のカメラにおいて、
前記制御情報に基づいて制御された場合における前記レンズユニット全体の光路に関する所定の光学特性の状態をシミュレーション演算により算出し、その算出されたシミュレーション結果を表示するシミュレーション手段を備えることを特徴とする。
【手続補正２３】
【補正対象書類名】明細書
【補正対象項目名】００２４
【補正方法】変更
【補正の内容】
【００２４】
また、請求項１８の発明は、請求項１７記載のカメラにおいて、
前記シミュレーション手段による演算および表示は、光線追跡のシミュレーション演算による光跡図の表示、収差特性のシミュレーション演算による収差図の表示、スポットダイアグラム特性のシミュレーション演算によるスポットダイアグラム図の表示、ＭＴＦ特性のシミュレーション演算によるＭＴＦ図の表示、ＯＴＦ特性のシミュレーション演算によるＯＴＦ図の表示、のうちの１または複数を含むことを特徴とする。
【手続補正２４】
【補正対象書類名】明細書
【補正対象項目名】００２５
【補正方法】変更
【補正の内容】
【００２５】
また、請求項１９の発明は、請求項１７記載のカメラにおいて、
前記シミュレーション手段は、前記制御情報に対応した前記複数の光学素子の状態を示す設計図を表示するとともに、この設計図上に前記シミュレーション演算の結果を表示させることを特徴とする。
【手続補正２５】
【補正対象書類名】明細書
【補正対象項目名】００２６
【補正方法】変更
【補正の内容】
【００２６】
また、請求項２０の発明は、請求項１記載のカメラにおいて、
前記記憶手段は、前記レンズユニットを所定の固定焦点レンズユニットまたは所定のズームレンズユニットとして機能させるための複数の制御情報を記憶し、各制御情報には、調整可能な焦点距離の範囲が各々異なるとともに結像性能が各々異なるように前記複数の光学素子の状態を制御するための情報が含まれ、
前記撮影制御手段は、前記選択手段による選択に応じて、前記レンズユニットを所定の固定焦点レンズユニットまたは所定のズームレンズユニットとして機能させることを特徴とする。
【手続補正２６】
【補正対象書類名】明細書
【補正対象項目名】００２７
【補正方法】変更
【補正の内容】
【００２７】
また、請求項２１の発明は、請求項２０記載のカメラにおいて、
前記記憶手段は、前記レンズユニットを、焦点距離の可変範囲がより高いズーム倍率に対応して設定されている望遠ズームレンズとして機能させるための第１の制御情報と、前記レンズユニットを、焦点距離の可変範囲がより低いズーム倍率に対応して設定されている広角ズームレンズとして機能させるための第２の制御情報とを記憶し、
前記撮影制御手段は、前記選択手段により前記第１の制御情報または前記第２の制御情報のいずれかが選択されたかに応じて、前記レンズユニットを、前記望遠ズームレンズまたは前記広角ズームレンズとして機能させることを特徴とする。
【手続補正２７】
【補正対象書類名】明細書
【補正対象項目名】００２８
【補正方法】変更
【補正の内容】
【００２８】
また、請求項２２の発明は、請求項２記載のカメラにおいて、
外部との通信により前記制御情報を受信する受信手段と、
前記受信手段により受信した制御情報を前記記憶手段に追加して記憶する追加記憶手段と、
を備えたことを特徴とする。
【手続補正２８】
【補正対象書類名】明細書
【補正対象項目名】００２９
【補正方法】変更
【補正の内容】
【００２９】
また、請求項２３の発明は、光学特性をプログラム可能なレンズユニットであって、
当該レンズユニットをカメラ装置に対して着脱可能とする着脱手段と、
当該レンズユニットの光軸上に配置された複数の光学素子と、
当該レンズユニット内における前記複数の光学素子の状態を電子制御によって変化させることで、当該レンズユニット全体の光学特性を変化させる電子制御手段と、
当該レンズユニット全体における所定の光学特性が、前記電子制御手段によって変化させることの可能な全範囲の中で所定の範囲内に収まるように、前記複数の光学素子の状態を制御するための制御情報を取得する取得手段と、
撮影時において、前記電子制御手段により変化させる前記複数の光学素子の状態を、前記取得手段により取得された制御情報に基づいて制御する撮影制御手段と、
を備えたことを特徴とする。
【手続補正２９】
【補正対象書類名】明細書
【補正対象項目名】００３０
【補正方法】変更
【補正の内容】
【００３０】
また、請求項２４の発明は、請求項２３記載のレンズユニットにおいて、
前記取得手段は、外部装置から前記制御情報を取得することを特徴とする。
【手続補正３０】
【補正対象書類名】明細書
【補正対象項目名】００３１
【補正方法】変更
【補正の内容】
【００３１】
また、請求項２５の発明は、請求項２３記載のレンズユニットにおいて、
前記取得手段は、予めレンズユニットの内部に記憶されている複数の制御情報のうちの１つを取得することを特徴とする。
【手続補正３１】
【補正対象書類名】明細書
【補正対象項目名】００３２
【補正方法】変更
【補正の内容】
【００３２】
また、請求項２６の発明は、請求項２３記載のレンズユニットにおいて、
前記カメラ装置に装着された状態で該カメラ装置と通信する通信手段を備え、
前記取得手段は、前記通信手段によって前記カメラ装置から前記制御情報を取得することを特徴とする。
【手続補正３２】
【補正対象書類名】明細書
【補正対象項目名】００３３
【補正方法】変更
【補正の内容】
【００３３】
また、請求項２７の発明は、光学機器において、
請求項２３乃至２６のいずれかに記載のレンズユニットを備えることを特徴とする。
【手続補正３３】
【補正対象書類名】明細書
【補正対象項目名】００３４
【補正方法】変更
【補正の内容】
【００３４】
また、請求項２８の発明は、複数の光学素子が光軸上に配置され、各々の光学素子の状態を電子制御手段によって個別に変化させることの可能なレンズユニットの光路に関する光学特性を制御するカメラであって、
前記レンズユニット全体における所定の光学特性が、前記電子制御手段によって変化させることの可能な全範囲の中で所定の範囲内に収まるように、前記複数の光学素子の状態を制御するための制御情報を複数記憶する記憶手段と、
前記記憶手段に記憶された複数の制御情報の１つを、撮影時において前記複数の光学素子の状態を制御するための制御情報として選択する選択手段と、
撮影時において、前記選択手段により選択された制御情報に基づいて、前記レンズユニット内の複数の光学素子の状態を制御する撮影制御手段と、
を備えたことを特徴とする。
【手続補正３４】
【補正対象書類名】明細書
【補正対象項目名】００３５
【補正方法】変更
【補正の内容】
【００３５】
また、請求項２９の発明は、複数の光学素子が光軸上に配置され、各々の光学素子の状態を電子制御手段によって個別に変化させることの可能なカメラの光路に関する光学特性を制御するプログラムであって、
前記カメラを、
前記カメラにおける所定の光学特性が、前記電子制御手段によって変化させることの可能な全範囲の中で所定の範囲内に収まるように、前記複数の光学素子の状態を制御するための制御情報を複数記憶する記憶手段と、
前記記憶手段に記憶された複数の制御情報の１つを、撮影時において前記複数の光学素子の状態を制御するための制御情報として選択する選択手段と、
撮影時において、前記選択手段により選択された制御情報に基づいて、前記複数の光学素子の状態を制御する撮影制御手段と、
して機能させることを特徴とする。
【手続補正３５】
【補正対象書類名】明細書
【補正対象項目名】００３６
【補正方法】削除
【補正の内容】
【手続補正３６】
【補正対象書類名】明細書
【補正対象項目名】００３７
【補正方法】削除
【補正の内容】
【手続補正３７】
【補正対象書類名】明細書
【補正対象項目名】００３８
【補正方法】削除
【補正の内容】
【手続補正３８】
【補正対象書類名】明細書
【補正対象項目名】００３９
【補正方法】削除
【補正の内容】
【手続補正３９】
【補正対象書類名】明細書
【補正対象項目名】００４０
【補正方法】削除
【補正の内容】
【手続補正４０】
【補正対象書類名】明細書
【補正対象項目名】００４１
【補正方法】削除
【補正の内容】
【手続補正４１】
【補正対象書類名】明細書
【補正対象項目名】００４２
【補正方法】削除
【補正の内容】
【手続補正４２】
【補正対象書類名】明細書
【補正対象項目名】００４３
【補正方法】削除
【補正の内容】
【手続補正４３】
【補正対象書類名】明細書
【補正対象項目名】００４４
【補正方法】削除
【補正の内容】
【手続補正４４】
【補正対象書類名】明細書
【補正対象項目名】００４５
【補正方法】削除
【補正の内容】
【手続補正４５】
【補正対象書類名】明細書
【補正対象項目名】００４６
【補正方法】削除
【補正の内容】
【手続補正４６】
【補正対象書類名】明細書
【補正対象項目名】００４７
【補正方法】削除
【補正の内容】
【手続補正４７】
【補正対象書類名】明細書
【補正対象項目名】００４８
【補正方法】削除
【補正の内容】
【手続補正４８】
【補正対象書類名】明細書
【補正対象項目名】００４９
【補正方法】削除
【補正の内容】
【手続補正４９】
【補正対象書類名】明細書
【補正対象項目名】００５０
【補正方法】変更
【補正の内容】
【００５０】
本発明によれば、従来と異なり、レンズユニットを交換することなく広い範囲でレンズユニットの光学特性を調整することができ、所望の光学特性を有するレンズユニットを容易に選択して使用することができる。
【手続補正５０】
【補正対象書類名】明細書
【補正対象項目名】００５１
【補正方法】削除
【補正の内容】
【手続補正５１】
【補正対象書類名】明細書
【補正対象項目名】００５２
【補正方法】削除
【補正の内容】
【手続補正５２】
【補正対象書類名】明細書
【補正対象項目名】００５３
【補正方法】削除
【補正の内容】
【手続補正５３】
【補正対象書類名】明細書
【補正対象項目名】００５４
【補正方法】削除
【補正の内容】
【手続補正５４】
【補正対象書類名】明細書
【補正対象項目名】００５５
【補正方法】削除
【補正の内容】
【手続補正５５】
【補正対象書類名】明細書
【補正対象項目名】００５６
【補正方法】削除
【補正の内容】
【手続補正５６】
【補正対象書類名】明細書
【補正対象項目名】００５７
【補正方法】削除
【補正の内容】
【手続補正５７】
【補正対象書類名】明細書
【補正対象項目名】００５８
【補正方法】削除
【補正の内容】
【手続補正５８】
【補正対象書類名】明細書
【補正対象項目名】００５９
【補正方法】削除
【補正の内容】
【手続補正５９】
【補正対象書類名】明細書
【補正対象項目名】００６０
【補正方法】削除
【補正の内容】
【手続補正６０】
【補正対象書類名】明細書
【補正対象項目名】００６１
【補正方法】削除
【補正の内容】
【手続補正６１】
【補正対象書類名】明細書
【補正対象項目名】００６２
【補正方法】削除
【補正の内容】
【手続補正６２】
【補正対象書類名】明細書
【補正対象項目名】００６３
【補正方法】削除
【補正の内容】
【手続補正６３】
【補正対象書類名】明細書
【補正対象項目名】００６４
【補正方法】削除
【補正の内容】
【手続補正６４】
【補正対象書類名】明細書
【補正対象項目名】００６５
【補正方法】削除
【補正の内容】
【手続補正６５】
【補正対象書類名】明細書
【補正対象項目名】００６６
【補正方法】削除
【補正の内容】
【手続補正６６】
【補正対象書類名】明細書
【補正対象項目名】００６７
【補正方法】削除
【補正の内容】